(57)【要約】【課題】収容物の盗難防止対策がなされた自動二輪車用の小物入れを提供する。【解決手段】  小物入れ２は、ケース本体１０と、ケース本体にヒンジ２４により結合された蓋体１２と、蓋体をケース本体への閉位置でケース本体に係止するロック機構３６とを有する。ロック機構は、蓋体に固定された固定爪６８と、ケース本体にスライド移動可能に取り付けられた可動爪４０とを有する。可動爪が固定爪に係合した係合位置にあるとき、蓋体はケース本体にロックされる。可動爪を固定爪から離脱する解除位置にスライド移動させると、蓋体を開くことができる。蓋体が閉位置にあるときに可動爪を外方に対して部分的に遮蔽する遮蔽壁８６を設けることにより、ピッキング等による収容物の盗難を防止する。【選択図】図３
2015160502.tif 000002
【特許請求の範囲】
【請求項１】
車両に設けられて、物品を収納可能な小物入れであって、
前記物品を収納可能な収納室を画定するケース本体と、
前記収納室の開口を開閉し得るように前記ケース本体にヒンジにより結合され、前記車両の輪郭の一部をなす蓋体と、
前記蓋体を前記収納室の前記開口を閉じる閉位置で前記ケース本体に対して係止可能なロック機構とを有し、
前記ロック機構が、
前記ケース本体及び前記蓋体の一方に設けられた固定爪と、
前記固定爪に対して係合する係合位置及び前記固定爪から離脱する解除位置間を変位可能に、前記ケース本体及び前記蓋体の他方に設けられた可動爪と、
前記可動爪を前記係合位置から前記解除位置に変位させる操作部材とを有し、
前記蓋体が前記閉位置にあるときに、前記蓋体が構成する前記車両の前記輪郭よりも内側かつ前記可動爪よりも該輪郭側の前記可動爪の近傍に位置するように前記ケース本体又は前記蓋体に配置された遮蔽壁が設けられていることを特徴とする小物入れ。
【請求項２】
前記遮蔽壁は、前記固定爪と一体に形成されたことを特徴とする請求項１に記載の小物入れ。
【請求項３】
前記ロック機構は、前記可動爪を前記係合位置に向けて付勢する付勢部材を有し、
前記固定爪及び前記可動爪の少なくとも一方に、前記蓋体を前記閉位置に向けて変位させたときに、対応する前記固定爪及び前記可動爪の他方に衝き当り、前記可動爪を前記付勢部材の付勢力に抗して前記解除位置に変位させる斜面が、設けられていることを特徴とする請求項１又は２に記載の小物入れ。
【請求項４】
前記固定爪及び前記可動爪は、前記可動爪が前記係合位置にあるときに互いに少なくとも一部が当接する当接面を各々備え、両当接面の少なくとも一方は、前記可動爪の変位方向に沿って延在する突条を形成することを特徴とする請求項３に記載の小物入れ。
【請求項５】
前記ロック機構は、前記ケース本体に設けられており、
前記可動爪が、前記開口の前記ヒンジに対向する側にて、前記ヒンジの軸線に概ね平行な方向に摺動可能に設けられていることを特徴とする請求項１〜４の何れかに記載の小物入れ。
【請求項６】
前記固定爪は、前記ヒンジの軸線に概ね平行な方向に間隔をおいて複数設けられ、
前記可動爪は、複数の前記固定爪に対応するように、前記ヒンジの軸線に概ね平行な方向に摺動可能に延在する長寸の連結部材に互いに間隔をおいて複数設けられることを特徴とする請求項５に記載の小物入れ。
【請求項７】
前記操作部材が、前記車両の前記輪郭の一部を画定する位置に配置された押しボタンと、該押しボタンの運動を前記連結部材の摺動運動に変換する変換機構とを有し、
前記押しボタンの運動を選択的に制限するべく、前記ケース本体に変位可能に設けられた可動ロック片を備えたことを特徴とする請求項６に記載の小物入れ。
【請求項８】
前記ケース本体は、前記ヒンジに対向する側の辺縁に前記ロック機構が設けられるフランジを有し、
前記可動爪は、前記フランジに設けられた孔から上方に突出しており、
前記フランジ及び前記蓋体の前記ヒンジに対向する側の辺縁は、前記蓋体が前記閉位置にあるときに、互いに前記フランジに直交する方向に対向していることを特徴とする請求項５〜請求項７の何れかに記載の小物入れ。
【請求項９】
前記車両は、自動二輪車であり、
前記蓋体の外面は、前記自動二輪車のカウルの外輪郭の一部を構成することを特徴とする請求項１〜請求項８の何れかに記載の小物入れ。
【発明の詳細な説明】
【技術分野】
【０００１】
本発明は、車両に設けられる物品を収納するための小物入れに関する。特に、収容物の盗難を防ぐためのロック機構を備えた小物入れに関する。
【背景技術】
【０００２】
自動車用の小物入れとしてグローブボックスが知られている。特許文献１には、グローブボックスの開閉装置が記載されており、この開閉装置は、蓋体を閉状態にロックするロック装置と、そのロックを解除するボタン状の操作子とを備える。
【０００３】
一方、特許文献２では、自動二輪車用の小物入れが提案されている。この小物入れは、ハンドルカバー内に配設された収納ボックスと、その収納ボックスの上方を開閉可能な蓋体とを備える。
【先行技術文献】
【特許文献】
【０００４】
【特許文献１】特開２０１１−２４７０８４号公報
【特許文献２】特開２００９−９６３０９号公報
【発明の概要】
【発明が解決しようとする課題】
【０００５】
特許文献１に記載の装置のように、外部から隔絶された車室内に設けられる小物入れであれば、ドア等のロックによって車室内の物の盗難を防止できるため、小物入れ自体に盗難防止対策をする必要性は低い。しかしながら、特許文献２に記載の小物入れのように、蓋体が外部に露出した小物入れでは、収容物が盗まれるおそれがあり、何らかの盗難防止対策が望まれる。
【０００６】
ところで、近年、自動二輪車用の電子料金収受システム（ＥＴＣ：Electronic Toll Collection System）が普及しつつあり、ＥＴＣカード等の貴重品を盗難防止対策のなされた小物入れ等に収容したいという需要が見込まれる。
【０００７】
また、このような小物入れでは、蓋体が外部に露出しているため、走行時の空気の流れや意匠性を阻害しないことは重要である。よって、盗難防止対策をなすにあたっては、走行時の空気の流れや意匠性を阻害しないようにすることが求められる。
【０００８】
上記に鑑み、本発明の主な目的は、蓋体が外部に露出した車両用の小物入れを、空気の流れや意匠性を阻害せず、収容物の盗難を防ぐ対策を施し得るように改良することを目的とする。本発明の第２の目的は、自動二輪車のカウル内に、調和的に組み込み得るような車両用の小物入れを提供することにある。
【課題を解決するための手段】
【０００９】
本発明のある側面は、車両（４）に設けられて、物品を収納可能な小物入れ（２）であって、前記物品を収納可能な収納室（１４）を画定するケース本体（１０）と、前記収納室の開口（２０）を開閉し得るように前記ケース本体にヒンジ（２４）により結合され、前記車両の輪郭の一部をなす蓋体（１２）と、前記蓋体を前記収納室の前記開口を閉じる閉位置で前記ケース本体に対して係止可能なロック機構（３６）とを有し、前記ロック機構が、前記ケース本体及び前記蓋体の一方に設けられた固定爪（６８）と、前記固定爪に対して係合する係合位置及び前記固定爪から離脱する解除位置間を変位可能に、前記ケース本体及び前記蓋体の他方に設けられた可動爪（４０）と、前記可動爪を前記係合位置から前記解除位置に変位させる操作部材（５４）とを有し、前記蓋体が前記閉位置にあるときに、前記蓋体が構成する前記車両の前記輪郭よりも内側かつ前記可動爪よりも該輪郭側の前記可動爪の近傍に位置するように前記ケース本体又は前記蓋体に配置された遮蔽壁（８６）が設けられていることを特徴とする
【００１０】
この構成によれば、車両の外方からケース本体と蓋体との隙間に工具を挿入し、可動爪を直接動かしてロックを解除するピッキング行為を遮蔽壁によって防止でき、小物入れに収容された物品の盗難を防止できる。また、遮蔽壁は、車両の外表面よりも内側に設けられるため、車両走行時の空気の流れを阻害せず、車両の意匠性を損なわない。
【００１１】
本発明の他の側面は、上記構成において、前記遮蔽壁は、前記固定爪と一体に形成されたことを特徴とする。
【００１２】
この構成によれば、ロック機構の構造を簡素化でき、その製造が容易になる。
【００１３】
本発明の他の側面は、上記構成において、前記ロック機構は、前記可動爪を前記係合位置に向けて付勢する付勢部材（５２）を有し、前記固定爪及び前記可動爪の少なくとも一方に、前記蓋体を前記閉位置に向けて変位させたときに、対応する前記固定爪及び前記可動爪の他方に衝き当り、前記可動爪を前記付勢部材の付勢力に抗して前記解除位置に変位させる斜面（４２，７８）が、設けられていることを特徴とする。
【００１４】
この構成によれば、簡素な構造で、蓋体を閉位置でロックすることができる。
【００１５】
本発明の他の側面は、上記構成において、前記固定爪及び前記可動爪は、前記可動爪が前記係合位置にあるときに互いに少なくとも一部が当接する当接面を各々備え、両当接面の少なくとも一方は、前記可動爪の変位方向に沿って延在する突条（８２）を形成することを特徴とする。
【００１６】
この構成によれば、可動爪を係合位置から解除位置に変位させる際の可動爪と固定爪との摩擦抵抗を低減できると共に、ごみや砂等が固定爪と可動爪との間に噛みこむことによって生じ得るロック機構の動作不良を防止できる。
【００１７】
本発明の他の側面は、上記構成において、前記ロック機構は、前記ケース本体に設けられており、前記可動爪が、前記開口の前記ヒンジに対向する側にて、前記ヒンジの軸線に概ね平行な方向に摺動可能に設けられていることを特徴とする。
【００１８】
この構成によれば、蓋体の重量増加を防ぐとともに、蓋体を閉位置に変位させるのに必要な力を減少させることができるため、蓋体の開閉動作を容易にすることができる。
【００１９】
本発明の他の側面は、上記構成において、前記固定爪は、前記ヒンジの軸線に概ね平行な方向に間隔をおいて複数設けられ、前記可動爪は、複数の前記固定爪に対応するように、前記ヒンジの軸線に概ね平行な方向に摺動可能に延在する長寸の連結部材（４６）に互いに間隔をおいて複数設けられることを特徴とする。
【００２０】
この構成によれば、複数の箇所でロックされるため、閉位置にある蓋体を安定させることでき、車両の走行に伴う風圧にも耐えることができる。
【００２１】
本発明の他の側面は、上記構成において、前記操作部材が、前記車両の前記輪郭の一部を画定する位置に配置された押しボタンと、該押しボタンの運動を前記連結部材の摺動運動に変換する変換機構（４６，６２）を有し、前記押しボタンの運動を選択的に制限するべく、前記ケース本体に変位可能に設けられた可動ロック片（９４）を備えたことを特徴とする。
【００２２】
この構成によれば、押しボタンの運動を制限しないときは、車両の使用者が押しボタンを使って容易に小物入れの蓋体を開閉でき、押しボタンの運動を制限したときは、第三者が小物入れの蓋体を開くことを防止できる。可動ロック片の制御手段として、操作は煩雑であっても防犯機能の高いもの、例えばキー及びキーシリンダを選択すれば、防犯性と利便性を兼ね備えた小物入れとすることができる。
【００２３】
本発明の他の側面は、上記構成において、前記ケース本体は、前記ヒンジに対向する側の辺縁に前記ロック機構が設けられるフランジ（２２）を有し、前記可動爪は、前記フランジに設けられた孔（４８）から上方に突出しており、前記フランジ及び前記蓋体の前記ヒンジに対向する側の辺縁は、前記蓋体が前記閉位置にあるときに、互いに前記フランジに直交する方向に対向していることを特徴とする。
【００２４】
この構成によれば、車両の意匠性や走行時の空気の流れを損なうことなく、小物入れにロック機構を設けることができる。
【００２５】
本発明の他の側面は、上記構成において、前記車両は、自動二輪車（４）であり、前記蓋体の外面は、前記自動二輪車のカウルの外輪郭の一部を構成することを特徴とする。
【００２６】
この構成によれば、カウル部分に小物入れを設置するため、運転者の操縦スペースを制約することがなく、自動二輪車内の限られたスペースを有効に活用することができる。しかも、小物入れは、走行時の空気の流れを阻害せず、自動二輪車の意匠性を損なわないように配置できる。
【発明の効果】
【００２７】
本発明によれば、車両用の小物入れを、空気の流れや意匠性を阻害せず、収容物の盗難を防ぐ対策を施せる。
【図面の簡単な説明】
【００２８】
【図１】実施形態に係る小物入れが設置される自動二輪車の側面図である。
【図２】実施形態に係る小物入れの正面図であって、蓋体が閉位置にある状態を示す。
【図３】実施形態に係る小物入れの正面図であって、蓋体が開位置にある状態を示す。
【図４】実施形態に係る小物入れのロック機構の一部を示す斜視図である。
【図５】実施形態に係る小物入れの操作部材ロック機構を示す拡大斜視図である。（（ａ）ロック状態、（ｂ）ロック解除状態、（ｃ）ロック解除状態で、操作部材が押された状態）。
【図６】実施形態の係る小物入れであって、蓋体が閉位置にあるときのロック状態を蓋体の表面材を省略して描いた拡大図である。
【図７】実施形態に係る小物入れのケース本体と蓋体との係止状態を示す拡大図断面図である。
【図８】実施形態に係る小物入れを自動二輪車に取り付けた状態の拡大側面図である。
【発明を実施するための形態】
【００２９】
以下、図面を参照して本発明の実施形態について説明する。図１は、実施形態に係る小物入れ２が設置される自動二輪車４（車両）の側面図である。自動二輪車４の前方中央には、ヘッドライド６が設けられ、その左右に車体に固定されたカウル８が設けられている。カウル８は、自動二輪車４の前方の流線形外輪郭を画定する。小物入れ２は、自動二輪車４のヘッドライド６の左右に隣接する両位置のそれぞれに設けられ、その外部に露出した表面は、カウル８の外輪郭の一部を形成している。そのため、自動二輪車４の走行時に、小物入れ２が自動二輪車４の表面付近の空気の流れを阻害しないようになっており、意匠性を損なわない。
【００３０】
図２及び図３は小物入れ２の正面図であり、図２は、ケース本体１０に対して蓋体１２が閉じた状態を示し、図３はケース本体１０に対して蓋体１２が開いた状態を示す。図２及び図３に示す小物入れ２は、自動二輪車４の乗員から見て左方に取り付けられるものである。自動二輪車４の右方に取り付けられる小物入れ２は、図２及び図３に示すものと左右対称の形状となる。
【００３１】
ケース本体１０は、後下方向に延出する収納室１４を画定する外壁１６を有する。ケース本体１０は、樹脂を素材とする成形品であって良い。収納室１４は、自動二輪車４の前方及び側方がやや下に傾斜した状態で上方を向く開口２０を備える。開口２０は、概ね長方形を呈する。開口２０の長手方向である上下の端縁、すなわち、自動二輪車４の後方から前方に向かうに連れてわずかに車体中央に向かって延びる２つの端縁は、全体として、車体中央に向けて下向きに傾斜している。ケース本体１０内には、ＡＣＣソケットやＥＴＣユニット等を設けたり、手袋や、Ｕ字ロック等の物品を収納するために利用することができる。
【００３２】
本実施形態では、収納室１４の底は、車体に於ける利用可能なスペースを最大限に活用するために、インボード側において深くかつアウトボード側において浅くされている。また、収納室１４の前後幅は、インボード側及びアウトボード側に向けて狭くなっている。開口２０を画定する外壁１６の開口２０周縁には、開口２０面に直交する方向に突出する軸線方向フランジ１８及び開口２０面に略平行な方向に外向きに延出する外方向フランジ２２が形成されている。
【００３３】
蓋体１２は、ケース本体１０の開口２０の上縁近傍で、ヒンジ２４で結合されている。ヒンジ２４は当該上縁に対して概ね平行に延在する軸線２４ａを有し、蓋体１２は軸線２４ａを軸にして開閉する。また、ヒンジ２４には、蓋体１２を開放方向に向けて付勢するねじりコイルばね２５が内蔵されている。また、ヒンジ２４は、蓋体１２の開位置（図３）が閉位置（図２）に対して約８０°〜１００°の角度をなすように蓋体１２を規制するストッパ（図示せず）を内蔵しているため、ねじりコイルばね２５によって開放方向に向けて付勢された蓋体１２は、開位置で開放方向への回動が規制される。
【００３４】
蓋体１２は、外表面に設けられた複数のリブ（図示せず）により補強された蓋体本体２６と、蓋体本体２６の外表面に取り付けられた表面材２８とを有する。表面材２８の外表面は、カウル８の外輪郭の一部を構成するように、滑らかな面を形成している。蓋体本体２６及び表面材２８は、樹脂を素材とする成形品である。蓋体本体２６は、外向き（上向き）に膨出する湾曲形状をなし、裏面側の中央に凹部３０が画定され、凹部３０の外周部分は、外側に延出する平坦なフランジ３２をなしている。凹部３０を設けることより、蓋体本体２６の剛性が高められ、しかも収納室１４の容積を最大化することができる。フランジ３２における凹部３０の開口外周に沿って、シール材３４が取り付けられている。シール材３４は、発泡樹脂やゴム等の可撓性ないし弾性を備えた素材からなり、蓋体１２が閉位置にあるときにケース本体１０の軸線方向フランジ１８に圧接するように配置され、雨水や、塵等の異物が収納室１４に浸入することを防ぐ。ヒンジ２４のケース本体１０側の部分は、フランジ３２の上縁側の部分に結合されている。
【００３５】
蓋体１２が閉位置にあるとき、蓋体１２の辺縁とケース本体１０の辺縁とは上下方向に対向している。そのため、両者を横方向に対向させる場合に比べて、自動二輪車４のカウル８の凹凸が減り、走行時の空気抵抗を抑え、意匠性を向上させることができる。
【００３６】
小物入れ２は、閉位置にある蓋体１２をケース本体１０に対して係止するロック機構３６を有する。図４は、ロック機構３６の内、ケース本体１０に取り付けられる部材を示す。
【００３７】
ロック機構３６の一部を構成するロック部材３８は、連結部材４６によって連結された２つの可動爪４０を有する。ロック部材３８は、樹脂を素材とする成形品としてもよい。ロック部材３８は、ケース本体１０の外方向フランジ２２の下縁側、すなわちヒンジ２４が設けられた上縁とは反対側（以下、ケース本体１０及び蓋体１２において、ヒンジ２４が設けられた縁部と相反する側の縁部を開放側部という）に取り付けられ、概ね開口２０に沿って延在する長尺材であり、概ね開口２０に沿って摺動可能である。なお、以下の説明では、特に断らない限り、ロック部材３８の摺動方向を前後方向といい、ロック部材３８の摺動方向に直交し概ね自動二輪車４の上下方向に相当する方向を上下方向という。ロック部材３８は、その軸方向から直交するように突出し、ケース本体１０の開口２０に沿って配置された２つの可動爪４０を有する。可動爪４０は、外方向フランジ２２の開放側部から上方に突出するように配置される。可動爪４０は、概ね、直方体の形状を、前面を上方に向かうにつれて後方に向かうように傾斜した傾斜面４２とし、かつ、開放側部側の側面の上下方向中間位置から上方の部分を上方に向かうにつれヒンジ２４側に傾斜した緩衝面４４とするように変形させた形状を呈する。２つの可動爪４０は、外方向フランジ２２の開放側部の下方に配置された、ロック部材３８の軸方向に延在する長寸の連結部材４６によって連結されている。
【００３８】
外方向フランジ２２の開放側部には、可動爪４０と連結部材４６との接続部分を挿通させる爪孔４８が設けられている。この爪孔４８の後側は、ロック部材３８が外方向フランジ２２の開放側部の縁に沿って外方向フランジ２２を摺動するようにガイドするため、開口２０に沿って延びる長孔になっている。また、連結部材４６の後端側は、ケース本体１０の後端付近まで延出し、ケース本体１０に摺動可能に支持されている。開口２０の開放側部の縁に沿った方向は、カウル８の形状に合わせて決定される。本実施形態では、ヒンジ２４の軸線方向に対して約２〜３°程度傾斜し、後方に向かうにつれてヒンジ２４の軸線方向から遠ざかるように設定されているが、概ね、ヒンジ２４の軸線方向と平行といえる。なお、図示を省略するが、連結部材４６の後端側には、ケース本体１０の壁に係止されるストッパがその壁の前後に２つ形成されており、ロック部材３８の摺動可能範囲を規定している。
【００３９】
ロック機構３６は、ロック部材３８の摺動方向に延在して、ロック部材３８をその摺動方向の前方に付勢する圧縮コイルばね５２を有する。圧縮コイルばね５２は、後端がケース本体１０に取り付けられ、前端がロック部材３８の連結部材４６の中央部に設けられて後方を向いた壁面５０に当接している。
【００４０】
ロック機構３６は、ロック部材３８を、後方に移動させるための操作部材５４を有する。操作部材５４は、ケース本体１０の外方向フランジ２２の開放側部の後方に設けられた凹部５６に受容される。操作部材５４は、樹脂を素材とする成形品であってよい。操作部材５４は、表面が、小物入れ２の外部に露出して、カウル８の外輪郭の一部を構成し得る押しボタン５８を備える。押しボタン５８の表面は正三角形状を呈する。押しボタン５８の裏面から、断面視Ｌ字状を呈する軸部材６０が延出しており、軸部材６０はその延在方向に摺動可能にケース本体１０に支持されている。軸部材６０の押しボタン５８側端部の下方には、カム部材６２が固定されている。操作部材５４は、軸部材６０に沿って延在してケース本体１０に一端が取り付けられた圧縮コイルばね６４によって、押しボタン５８が凹部５６から突出する方向に付勢されている。
【００４１】
ロック機構３６の内、連結部材４６と操作部材５４との相互作用を説明する。連結部材４６は、その後端側が凹部５６を横断するように延在している。押しボタン５８の軸部材６０とロック部材３８の連結部材４６の摺動方向とは所定の角度で交差しているが、押しボタン５８を圧縮コイルばね６４の付勢力に抗して押し込むと、押しボタン５８の軸部材６０に沿った方向の運動が、ロック部材３８の連結部材４６の摺動運動に変換される。この変換は、カム部材６２に設けられた斜面と、連結部材４６の後端側に設けられた斜面とによって構成された変換機構によってなされる。カム部材６２及び連結部材４６の互いに摺動可能な斜面は、押しボタン５８と共にカム部材６２が押し込まれると両斜面の互いの摺動によって連結部材４６をロック部材３８の摺動方向の後方へ移動させるように形成されている。押しボタン５８の押し込み方向への移動は、押しボタン５８の裏面がケース本体１０に係止されることにより規制される。使用者が、押しボタン５８から指を離すと、連結部材４６は圧縮コイルばね５２の付勢力によって摺動方向の前方に移動し、操作部材５４は、変換機構による力の伝達又は圧縮コイルばね６４の付勢力によって、凹部５６から押し出される方向に移動する。操作部材５４の軸部材６０の遊端側にはストッパ６６（図５参照）設けられており、ストッパ６６がケース本体１０に係止されることにより、操作部材５４の凹部５６から押し出される方向への移動が規制される。ストッパ６６がケース本体１０に係止されたとき、ストッパ６６の表面は、カウル８の外輪郭の一部を構成する。
【００４２】
図６は、蓋体１２が閉位置にあるときのロック状態を蓋体１２の表面材２８を省略して描いた拡大図である。図７は、蓋体１２が閉位置にあるときに、可動爪４０の摺動方向に直交して可動爪４０の直近後方を通る断面における拡大断面図である。図３、図６及び図７に示すように、ロック機構３６は、蓋体本体２６と一体成形されて蓋体本体２６に対して固定された固定爪６８をさらに有する。固定爪６８は、蓋体本体２６のフランジ３２の開放側部に、２つの可動爪４０に対応するように、シール材３４に沿って２つ設けられている。固定爪６８は、蓋体本体２６のフランジ３２の裏面から突出して主面が概ね前後方向を向いた縦壁７０と、縦壁７０の中央から後方に向けてフランジ３２と略平行に突出する係止壁７２と、フランジ３２に略直交する方向に延在して縦壁７０の前面を補強するリブ７４と、縦壁７０の遊端側及び係止壁７２間に延在するリブ７６とを備える。リブ７６は、蓋体１２を閉位置に向けて変位させたときに可動爪４０の傾斜面４２と摺動する傾斜面７８を形成する。よって、傾斜面７８は、リブ７６間に前後方向に沿って延在する凹部８０を備えることになる。係止壁７２のフランジ３２側の面は、蓋体１２が閉位置にあるときに可動爪４０の下面に係止される。また、係止壁７２のフランジ３２側の面は、ヒンジ２４側と開放側部側との中間の略中央が連結部材４６摺動方向に沿っての盛り上がった突条８２を形成している。
【００４３】
蓋体１２のフランジ３２の裏面側には、蓋体１２が閉位置にあるときに可動爪４０の上部を受容する凹部８４が、固定爪６８の縦壁７０の設置位置から後方にかけて設けられている。凹部８４の後端は、可動爪４０が後方に移動したときの後端面の位置よりもわずかに後方に位置する。また、ケース本体１０の外方向フランジ２２の爪孔４８の前側は、蓋体１２が閉位置にある時に、固定爪６８の下端側を貫通させるように、幅が拡がっている。
【００４４】
ロック機構３６は、蓋体１２及び固定爪６８と一体成形された遮蔽壁８６をさらに有する。遮蔽壁８６は、蓋体１２のフランジ３２及び縦壁７０に直交するように、係止壁７２の開放側部側とフランジ３２とを結んでいる。蓋体１２が閉位置にあるときに、遮蔽壁８６は、開放側部側の外部から可動爪４０の前端側を遮蔽する。
【００４５】
ロック機構３６のケース本体１０と蓋体１２とに対する作用について説明する。可動爪４０は、固定爪６８に対して係合する係合位置と、固定爪６８から離脱する解除位置との間を変位可能である。蓋体１２が開口２０を開いた開位置にあるとき、可動爪４０は、連結部材４６が圧縮コイルばね５２で付勢されて前方に配置されるため、係合位置に配置される。使用者が、蓋体１２を、開口２０を閉じる閉位置に向けてヒンジ２４の軸線２４ａ周りに回動させると、蓋体１２が閉位置に至る直前で、固定爪６８が可動爪４０に衝き当る。さらに蓋体１２を回動させると、固定爪６８の傾斜面７８が可動爪４０の傾斜面４２に摺動して、可動爪４０を圧縮コイルばね５２の付勢力に抗して後方に移動させる。このとき、固定爪６８の傾斜面７８は、摺動方向に沿って延在する凹部８０を有するため、可動爪４０の傾斜面４２とも摩擦が軽減される。その後、固定爪６８の傾斜面７８の上端が、可動爪４０の傾斜面４２の下端よりも下方に移動すると、圧縮コイルばね５２の付勢力により、可動爪４０が前方に移動して係合位置に至る。このとき、固定爪６８の突条８２と可動爪４０の下面とが当接することによって、固定爪６８と可動爪４０が係合するため、蓋体１２は、ケース本体１０に対して係止されて開位置に向かって移動しないようにロックされる。可動爪４０には緩衝面４４があるため、蓋体１２とケース本体１０とのヒンジ結合が多少がたついたとしても、緩衝面４４が、蓋体１２のフランジ３２の凹部８０内面を摺動し、蓋体１２を閉位置に誘導する。また、蓋体１２が閉位置に向かうとき、固定爪６８の下部及び可動爪４０の上部は爪孔４８及び凹部８０に挿通ないし受容されるため、固定爪６８及び可動爪４０は、所定の大きさを有するものの、蓋体１２の閉位置に向けた回動を阻害しない。
【００４６】
ロックを解除するときは、押しボタン５８を押す。前述のように、押しボタン５８を押すと、ロック部材３８の連結部材４６が後方に移動するため、可動爪４０も後方に移動して解除位置に至る。このとき、可動爪４０の下面は、固定爪６８の係止壁７２の上面全体ではなく、突条８２の頂部を摺動するため、摺動に伴う摩擦が小さく、砂やほこり、塵等の異物による動作不良を防ぐことができる。可動爪４０が解除位置に至ると、固定爪６８と可動爪４０との係合が解除されるため、ヒンジ２４に設けられたねじりコイルばねの付勢力により蓋体１２は開位置に向けて移動する。なお、突条８２は、固定爪６８の係止壁７２の上面に代えて可動爪４０の下面に設けてもよく、固定爪６８の係止壁７２の上面及び可動爪４０の下面の双方に設けてもよい。
【００４７】
図５は、操作部材５４の軸部材６０の遊端側周辺を示す斜視図である。図５に示すように、小物入れ２は、押しボタン５８の押し込みをロックする操作部材ロック機構８８をさらに備える。操作部材ロック機構８８は、ケース本体１０に固定された固定板９０と、固定板９０に対して回動可能にピン９２によって結合された可動板９４とを備える。固定板９０及び可動板９４は、金属又は樹脂を素材とし、概ね平板状を呈する。可動板９４の回動軸、すなわちピン９２は、固定板９０及び可動板９４の主面に直交する。固定板９０には、ピン９２の上方に位置する係止突片９６と、係止突片９６から、ピン９２を中心に時計回りに約１３０°〜１４０°回転した位置に設けられるチューブ保持突片９８とを有し、係止突片９６及びチューブ保持突片９８は、それぞれ、固定板９０の端部を、可動板９４側に屈曲させることによって形成される。固定板９０は、操作部材５４の摺動を阻害しない位置に配置される。可動板９４は、ピン９２から回動の半径方向に延出するロック片１００と、ロック片１００の中心から時計回りに約９０°〜１００°回転した位置に設けられるワイヤ保持突片１０２とを有し、ワイヤ保持突片１０２は可動板９４の端部を固定板９０の反対側に屈曲させて設けられる。ワイヤ保持突片１０２の主面は、回動の周方向に概ね直交する。可動板９４は、ロック片１００が係止突片９６の前方（図面右方）に位置するように、固定板９０に取り付けられている。可動板９４の回動は、反時計回りでは、ロック片１００が係止突片９６に係止される位置（操作部材ロック位置）で規制され、時計回りでは、ワイヤ保持突片１０２がチューブ保持突片９８に係止される位置（操作部材ロック解除位置）で規制される。
【００４８】
図５（ａ）に示すように、可動板９４が操作部材ロック位置にあるとき、ロック片１００は、操作部材５４の軸部材６０の遊端近傍の、軸部材６０の摺動方向に整合する位置に配置される。そのため、押しボタン５８を押圧しても、軸部材６０の遊端がロック片１００に当接するため、それ以上押しボタン５８を押し込めず、操作部材５４がロックされる。図５（ｂ）に示すように、可動板９４を操作部材ロック解除位置まで時計回りに回動させると、ロック片１００は、軸部材６０の摺動方向からずれた位置に配置される。このとき、図５（ｃ）に示すように、使用者は、押しボタン５８を押し込むことができる。そのため、ロック部材３８は後方に移動して可動爪４０が解除位置に移動するため、蓋体１２がヒンジ２４に設けたねじりコイルばねによって開位置に移動する。
【００４９】
操作部材ロック機構８８は、可動板９４を回動させるためのワイヤ１０４と、ワイヤ１０４を摺動可能に保持するチューブ１０６と、ワイヤ１０４をチューブ１０６に対して摺動させるキーシリンダ（図示せず）とをさらに有する。ワイヤ１０４を内部に摺動可能に保持するチューブ１０６の一端は、固定板９０のチューブ保持突片９８に固定される。ワイヤ１０４の一端側は、チューブ１０６の一端から、可動板９４の回動の周方向に突出して、可動板９４のワイヤ保持突片１０２に保持される。ワイヤ１０４の他端側は、キーシリンダに取り付けられており、キーをキーシリンダ内で操作すると、ワイヤ１０４のワイヤ保持突片１０２に保持された部分が、チューブ１０６から出没し、可動板９４を操作部材ロック位置と操作部材ロック解除位置との間で回動させることができる。このようにして、操作部材５４のロックとロック解除とを切り替えることができる。
【００５０】
操作部材５４をロックしていないとき、使用者は押しボタン５８を押すことで容易に蓋体１２を開位置に移動させることができる。しかし、操作部材５４をロックしていないと、第三者も容易に蓋体１２を開位置に移動させることができるため、小物入れ２に収容された物品が盗まれるおそれが高い。一方、使用者は、蓋体１２が閉位置にある状態で操作部材ロック機構８８を用いて操作部材５４をロックすることにより、キーを持たない第三者が押しボタン５８を使って蓋体１２を開くことを防止できる。また、このとき、図８に示すように、開放側部側からみて、可動爪４０の前端側は遮蔽壁８６に遮蔽されている。そのため、第三者は、先端の細長い工具を使って可動爪４０を解除位置に移動させて蓋体１２を開こうとしても、遮蔽壁８６が工具の侵入を阻害するため、可動爪４０を移動させることができない。このようにして、小物入れ２に収容された物品を盗難から守ることができる。ただし、使用者が、操作部材５４がロックされた状態から蓋体１２を開位置に移動させようとすると、キーをキーシリンダに差し込み、キーをまわして操作部材５４のロックを解除した後に、押しボタン５８を押す必要があり、やや煩雑である。しかし、使用者は、場面に応じて操作部材５４のロックとロック解除とを使い分けることにより、蓋体１２の開閉操作の利便性と、防犯性とを両立させることができる。
【００５１】
以上で具体的実施形態の説明を終えるが、本発明は上記実施形態に限定されることなく幅広く変形実施することができる。例えば、可動爪４０を含むロック部材３８を蓋体１２に取り付け、固定爪６８をケース本体１０に固定しても良い。また、遮蔽壁８６は、可動爪４０をケース本体１０及び蓋体１２のいずれに設けた場合であっても、蓋体１２及びケース本体１０のいずれに設けてもよい。また、可動爪４０及び固定爪６８は、それぞれ、１つずつ又は３つ以上ずつにしてもよい。また、操作部材５４及び操作部材ロック機構８８を省略し、キーシリンダに差し込んだキーによって、ロック部材３８を動かし、蓋体１２を閉位置から開位置に移動させてもよい。なお、小物入れ２は、自動二輪車４の他の位置に設置してもよく、その他の車両の外装やオープンカーの内装に取り付けるように変更しても良い。
【符号の説明】
【００５２】
２...小物入れ、４...自動二輪車、８...カウル、１０...ケース本体、１２...蓋体、１４...収納室、２０...開口、２４...ヒンジ、３６...ロック機構、３８...ロック部材、４０...可動爪、４２...可動爪の傾斜面、５４...操作部材、５８...押しボタン、６０...軸部材、６８...固定爪、７８...固定爪の傾斜面、８２...突条、８６...遮蔽壁、８８...操作部材ロック機構、９０...固定板、９４...可動板、９６...係止突片
【図１】
2015160502.tif 000003
【図２】
2015160502.tif 000004
【図３】
2015160502.tif 000005
【図４】
2015160502.tif 000006
【図５】
2015160502.tif 000007
【図６】
2015160502.tif 000008
【図７】
2015160502.tif 000009
【図８】
2015160502.tif 000010